(57)【要約】【課題】  携帯機器を確実に破壊し、その破壊状態を直ちに目視確認できるようにし、破壊片の回収も容易とした。【解決手段】  前部に開口１４ａを形成したハウジング２と、ハウジング内に設けられた駆動源３と、前記開口の内奥部にあって、前記駆動源３に連繋して往復昇降動作するポンチ７とを備え、前記開口１４ａより携帯機器２６をハウジング内に挿入し、前記駆動源３の駆動による前記ポンチ７の昇降動作により、前記携帯機器２６にポンチ７を貫通させて破壊する。【選択図】    図１
2005349519.tif 000002
【特許請求の範囲】
【請求項１】
前部に開口を形成したハウジングと、ハウジング内に設けられた駆動源と、前記開口の内奥部にあって、前記駆動源に連繋機構を介して連繋して往復昇降動作するポンチとを備え、
前記開口より携帯機器をハウジング内に挿入し、前記駆動源の駆動による前記ポンチの昇降動作により、前記携帯機器にポンチを貫通させて破壊するものであることを特徴とする携帯機器の破壊装置。
【請求項２】
前記駆動源がハウジング内に設けられた電動モータであり、前記連繋機構が前記モータの出力軸に設けた偏心カムと、カムの外周カムリード面に摺接するカム溝を中央に形成した動作板と、動作板の両側にあってカムの回転に伴い動作板を昇降可能にガイドするガイド機構とを備え、該動作板の下部中央に前記ポンチを突設したものであることを特徴とする請求項１記載の携帯機器の破壊装置。
【請求項３】
前記ハウジングは、前記駆動源、連繋機構及びポンチを配置したマウントベースと、マウントベース上に配置されて内部機構を覆い、かつ前部に開口を形成したハウジングカバーと、マウントベースの前部上面に設置され、先端が前記ハウジングカバーの開口より突出し、後部が前記ポンチ先端に対向する携帯機器設置プレートと、設置プレート及びマウントベースのピン対向位置の上下を貫通して開口された打抜き破壊片の排出孔と、マウントベースの前部に引出し可能に装着され、その上部を前記排出孔に対向させた破壊片収納用のトレイとを備えたことを特徴とする請求項１または２記載の携帯機器の破壊装置。
【請求項４】
前記モータの駆動用スイッチが前記ハウジングカバーの左右に配置され、両スイッチの押ボタン操作により、モータが駆動されるようにしたことを特徴とする請求項２または３記載の携帯機器の破壊装置。
【請求項５】
前記マウントベースの下面には前記トレイの後端に接してこれを常時閉鎖側に付勢するマグネットキャッチを備えたことを特徴とする請求項３記載の携帯機器の破壊装置。
【請求項６】
往復昇降動作するポンチを備え、該ポンチの昇降動作により、ポンチの下部に設置した携帯機器にポンチを貫通させて破壊する携帯機器の破壊装置において、
前記ポンチの配置箇所下部にはポンチ挿通孔を形成し、かつ携帯機器の上面に対向する共上がり防止プレートを備えたことを特徴とする携帯機器の破壊装置。
【請求項７】
往復昇降動作するポンチを備え、該ポンチの昇降動作により、ポンチの下部に設置した携帯機器にポンチを貫通させて破壊する携帯機器の破壊装置において、
前記ポンチの下部に携帯機器設置プレートを設け、該携帯機器設置プレートの下部に前部に引出し可能とした破壊片収納用のトレイを備え、携帯機器設置プレートの前記ポンチ直下の位置には、前記トレイに連通する破壊片排出孔を貫通形成したことを特徴とする携帯機器の破壊装置。
【請求項８】
前記携帯機器設置プレートの中央には前方向に連通する凹溝を形成し、この凹溝内の前記ポンチ直下の位置と、それより前方の凹溝内の位置に、前記トレイに連通する破壊片排出孔を貫通形成したことを特徴とする請求項７に記載の携帯機器の破壊装置。
【発明の詳細な説明】
【技術分野】
【０００１】
本発明は、使用済の携帯電話、ＰＨＳ、電子手帳などの携帯機器（携帯用電子機器類）を物理的に破壊することによって、当該携帯機器に内蔵されたデータの流出を未然に防止できるようにした携帯機器の破壊装置に関するものである。
【背景技術】
【０００２】
最近ではテレビ電話機能や、いわゆる写メールなどの写真撮影機能とその送信機能などが付加された新世代型携帯電話の普及に伴い、新たな携帯電話の買換需要が増大している。
【０００３】
買換え時には、販売店ではユーザによって持込まれた旧型携帯電話に内蔵された電話番号、メールアドレス、送受信記録などのデータを新規購入の携帯電話に書込むサービスが行われている。
使用済携帯電話の処理はユーザが予備機として持帰り、必要に応じて有料で使用可能状態に復元することにより、再使用できるようにするか、あるいは販売店側で引取り、処理業者に一括して分別処理させるかのいずれかを選択できる。
【０００４】
しかし、実際には個人が引取っても使わなければ、いずれは廃棄されてしまうものである。そして、携帯電話そのものを一般不燃物として廃棄してしまうことは環境的な問題を生ずる反面、これに内蔵される各種電子部品にはレアメタルや、金などの貴金属類が豊富に含まれているため、これを分別し回収することは資源の再利用を図る上で極めて有効である。
したがって、ユーザ側で使用済機器を死蔵するよりも、販売店側で一括回収する方が環境問題や、資源の有効利用を図るためにも好ましいことは言うまでもない。
【０００５】
他方、販売店側で引取る場合には、最近では個人情報などの流出が多発するなどの事件もあり、前記データが読込可能のままであるために、ユーザにとっては、使用済機器の回収から処理業者への流通過程においてデータが読込まれ、流出される虞れがぬぐい切れない。
【０００６】
そこで販売店で引取る場合に最も確実なのは、ユーザの目の前で携帯電話を物理的に破壊し、そのデータが二度と使用できないことをユーザ自身に直接確認させることである。
【０００７】
ところで、下記特許文献１にはデータを物理的に破壊する機構が開示されている。このものは情報の盗難防止機構であって、読出し専用メモリなどの電子部品に設置された破壊装置とを備えている。
そして、破壊装置は発火手段とテルミットなどの反応剤などを含み、盗難と判断された際に発火手段を動作させてテルミット反応による高温を発生させ、電子部品を物理破壊する。
【特許文献１】特開平１１−６９０２３号公報
【発明の開示】
【発明が解決しようとする課題】
【０００８】
しかしながら、以上の破壊機構では、小型化が進む携帯電話には設置が困難であり、特に破壊時には高温となるため危険であり、しかも外方からでは破壊を視認できず、却ってこのような機構を装備することは思わぬ事故を招く原因ともなりかねず、現実的でない。
そこで本発明は以上の課題を解決するものであり、その目的は、店内のカウンターなどに設置され、店員またはユーザ自身の手で気軽に操作することによって、使用済携帯機器を確実に破壊し、かつその破壊状態を直ちに目視確認できるようにし、破壊片の回収も容易とした携帯機器の破壊装置を提供するものである。
【課題を解決するための手段】
【０００９】
前記目的を達成するため、本発明は、図の実施の形態にも示すように、前部に開口１４ａを形成したハウジング２，１４と、ハウジング内に設けられた駆動源３と、前記開口の内奥部にあって、前記駆動源３に連繋して往復昇降動作するポンチ７とを備え、前記開口１４ａより携帯機器２６をハウジング内に挿入し、前記駆動源３の駆動による前記ポンチ７の昇降動作により、前記携帯機器２６にポンチ７を貫通させて破壊するものであることを特徴とするものである。
【００１０】
本発明のうち請求項２記載の発明は、前記駆動源がハウジング内に立設されたモータマウント４に先端を支持された電動モータ３であり、前記連繋機構が前記モータ３の出力軸３ａに設けた偏心カム５と、カム５の外周カムリード面に摺接するカム溝６ａを中央に形成した動作板６と、動作板６の両側にあってカム５の回転に伴い動作板を昇降可能にガイドするガイド機構１８，１９とを備え、該動作板６の下部中央に前記ポンチ７を突設したものであることを特徴とする。
【００１１】
本発明のうち請求項３記載の発明は、前記ハウジングは、前記駆動源３、連繋機構及びポンチ７を配置したマウントベース２と、マウントベース２上に配置されて内部機構を覆い、かつ前部に開口１４ａを形成したハウジングカバー１４と、マウントベース２の前部上面に設置され、先端が前記ハウジングカバー１４の開口１４ａより突出し、後部が前記ポンチ７先端に対向する携帯機器設置プレート１０と、設置プレート１０及びマウントベース２のピン対向位置の上下を貫通して開口された打抜き破壊片の排出孔２ａ，１０ａと、マウントベース２の前部に引出し可能に装着され、その上部を前記排出孔に対向させた破壊片収納用のトレイ１６とを備えたことを特徴とするものである。
【００１２】
本発明のうち請求項４記載の発明は、前記モータ３の駆動用スイッチが前記ハウジングカバー１４の左右に配置され、両スイッチ２１の同時の押ボタン操作により、モータ３が駆動されるようにしたことを特徴とするものである。
【００１３】
本発明のうち請求項５記載の発明は、前記マウントベース２の下面には前記トレイ１６の後端に接してこれを常時閉鎖側に付勢するマグネットキャッチ１７を備えたことを特徴とするものである。
【００１４】
本発明のうち請求項６記載の発明は、前記ポンチ７の配置箇所下部にはポンチ挿通孔を９ａ形成し、かつ挿通された携帯機器２６の上面に対向する、略倒Ｌ形若しくは略コ形の共上がり防止プレート９を備えたことを特徴とするものである。
【００１５】
本発明のうち請求項７記載の発明は、前記ポンチ７の下部に携帯機器設置プレート１０、３１を設け、該携帯機器設置プレートの下部に前部に引出し可能とした破壊片収納用のトレイ１６を備え、携帯機器設置プレートの前記ポンチ直下の位置には、前記トレイに連通する破壊片排出孔１０ａを貫通形成したことを特徴とするものである。
【００１６】
本発明のうち請求項８記載の発明は、前記携帯機器設置プレート３１の中央には前方向に連通する凹溝３１ａを形成し、この凹溝凹溝３１ａ内の前記ポンチ直下の位置と、それより前方の凹溝内の位置に、前記トレイに連通する破壊片排出孔３１ｂを貫通形成したことを特徴とするものである。
【発明の効果】
【００１７】
以上により、本発明によれば、携帯機器をハウジング内に挿通し、所定の操作により駆動源を駆動することで、簡単かつ確実に携帯機器に孔をあけ、その後はこれを取出すことにより、破壊を確認できる。
【００１８】
請求項２記載の発明では、スイッチの押ボタン操作だけで確実に破壊することができる。
【００１９】
請求項３記載の発明では、打抜き破壊片を引出し式トレイ内部に収納できる。
【００２０】
請求項４記載の発明では、両手でスイッチの押しボタン操作しなければならないため、万が一の事故を防止する上で好適である。
【００２１】
請求項５記載の発明では、トレイは常時閉鎖方向に付勢され、人為的にトレイを引かない限りその状態が維持されるため、確実に打抜き破壊片を回収できる。
【００２２】
請求項６記載の発明では、ポンチが携帯機器の内部に食込んだまま上昇動作しても共上がり防止プレートによって携帯機器はポンチから引抜かれ、設置プレート上に残置されるため、破壊後の取出しが容易である。
【００２３】
請求項７又は８記載の発明では、打抜き破壊片がトレイ内に確実に収納され、回収が容易であり、ポンチ側の排出孔より排出されなくても、前部側の排出孔を通じて排出可能であり、さらに、これら排出孔より排出されないものは、溝内に残置されるため、拡散することがなく、溝を通じて手前側に取出すことができる。
【発明を実施するための最良の形態】
【００２４】
（第１の実施形態）
図１〜図６は本発明を携帯電話の破壊装置に適用した第１の実施形態を示す。このうち、図１は破壊装置の三面図を、図２は同部品構成を示す分解斜視図を、図３は同組立状態を示す斜視図である。
【００２５】
各図において、破壊装置１は、間口が逆コ字形に形成された縦長のマウントベース２と、マウントベース２の上面に立設状態に固定され、かつ駆動源としてのモータ３の先端を支持固定したモータマウント４と、モータマウント４の前面に突出するモータ３の出力軸３ａに固定された偏心カム５と、カム５の偏心回転に連繋して上下動する動作板６と、動作板６の下端中央に突設された打抜き用のポンチ７と、動作板６の上部において、モータマウント４の前面に固定されたマイクロスイッチ８を有している。さらに、動作板６の下部においてモータマウント４の前面に略Ｌ字形をなして固定され、かつ前記ポンチ通過用の孔９ａを開口した共上がり防止プレート９と、マウントベース２の前部中央に固定され、かつ前記破壊片排出孔１０ａを貫通形成した電話機設置プレート１０と、動作板８の前面において、出力軸３ａの先端を軸受用グロメット１１を介して軸受支持する軸支持板１２、及びマウントベース２の上部に設置され内部機構を覆うハウジングカバー１４備えている。
【００２６】
また、マウントベース２の間口開口部には把手１５を前面に設けた引出し式のトレイ１１６が配置され、前記設置プレート１０及びマウントベース２の上下を貫通して開口された破壊片排出孔２ａ，１０ａを通じてポンチングによる打抜き破壊片がこのトレイ１６内部に落下し、ここに溜めるようにしている。そして、トレイ１６の後部にはマウントベース２の下面に固定されたマグネットキャッチ１７が配置され、このマグネットキャッチ１７２より、トレイ１６を格納方向に吸引し、常時閉鎖側に付勢している。
【００２７】
前記モータマウント４は、両側部が後部側にＬ型に曲折され、この側部折曲面にビスを介して前記カバー１４を固定し、また前部上端を前部側に向けてＬ字形に折曲し、その中央をさらに下部側に折曲し、この前部折曲面にビスを介して前記軸支持板１２を固定している。
【００２８】
前記動作板６はその中央に前記カム５の外周カムリード面に摺接する長孔状のカム溝６ａを開口し、カム溝６ａの左右には、左右の動きを規制するための一対のガイドスリーブ１８を立設したものであり、各ガイドスリーブ１８はマウントベース２上に立設された一対のガイドピン１９がそれぞれ挿通され、これによりカム５のカムリード形状に応じて動作板６を昇降ガイドし、一昇降動作ごとにポンチ７によるポンチング動作を行う。
【００２９】
前記カバー１４はその前部に前記設置プレート１０の先端部を露出した状態に覗かせる電話挿入用の開口部１４ａを開口形成しているとともに、開口部１４ａの上部側の傾斜面には一対の表示ランプ２０を配置している。表示ランプ２０の一方は電源表示用の赤色ＬＥＤ，他方は動作表示用緑色ＬＥＤである。
【００３０】
また、カバー１４の両側部にはモータ駆動用の手動スイッチ２１が配置されている。このように、スイッチ２１を左右の２つとしたのは、ユーザ自身が当該装置１により携帯電話を破壊する際に、片手で携帯電話を開口部１４ａを挿入し、これを持ちながら、同時に他方の手でスイッチ２１を押ボタン操作することによる万が一の事故を防止するためのもので、携帯電話挿入後に、両手でスイッチ２１を操作することによって始めてモータ駆動を可能としている。
【００３１】
さらに、マウントベース２の後部上面には雑音発生防止用のコンデンサ２２、及び前記モータの電源回路、前記マイクロスイッチ８及び手動スイッチ２１などによるスイッチグ回路やとランプの点灯回路などを搭載した回路基板２３（図１にのみ表示する）が固定され、回路基板２３の後部には電源コード２４が接続され、このコード２４はグロメットなどを介してカバー１４の後部から外部に引出され、コンセント２５を介して商用電源に接続されるようになっている。
【００３２】
次に以上の装置１を用いた使用済携帯電話機２６の破壊手順を図４，５を用いて説明する。
図４は１ショット時のカム及びポンチの動作を示し、図５はユーザによる操作手順を示す。なお、図４において、前記マイクロスイッチ８は常閉型接点であり、図４（ａ）に示すように、装置１の待機状態ではカム５が上位置にあり、マイクロスイッチ８の接点はカムリード面に接し、これによって回路は開成され、モータは停止し、電源ランプ２０のみ点灯し、動作表示用ランプ２０が消灯することにより待機状態を表示する。
【００３３】
この状態で図５に示すように、ユーザの手により電話機２６を開口部１４ａから内部に押込む。この電話機２６は、メーカーや機種ごとにその形状や縦横厚み寸法は若干異なっているが、折畳み式の場合には、幅寸法が４〜５０ｍｍ（正確な数値を記入のこと）、展開したときの厚み寸法が１５〜２０ｍｍ（正確な数値を記入のこと）程度であり、一体型の場合でも似たような幅及び厚み寸法なので、この範囲でどのような機種でも挿入可能な寸法に開口幅及び開口厚みを設定しておけばよく、いずれも挿通側とはアンテナを逆向きとし、折畳み型の場合には図示のごとく展開状態として挿通すれば、その先端が共上がり防止プレート９の垂直面に度当りすることで、電話機２６の完全挿入を体感できる。
【００３４】
その後、両手で左右のスイッチ２１を押すことにより、モータ３は回転駆動し、かつ動作表示用ランプ２０は点灯する。図４（ｂ），（ｃ）に示すようにモータ３の回転に伴うカム５の回転により、動作板６を下降させ、これによりポンチ７は電話機２６の内部に貫入する。
そして、（ｃ）に示す１８０°回動位置で完全に電話機２６の肉厚方向を貫通し、その打抜き破壊片２６ａを下方に排出する。この貫通動作で発生した破壊片２６ａやその他破砕片は前記破壊片排出孔２ａ，１０ａを通じて、トレイ１６内に回収される。
その後は（ｄ）に示すようにポンチ７は上昇する。上昇動作に伴い電話機２６は共上がりしようとするが、これは共上がり防止プレート９によって阻止され、そのまま設置プレート１０上に残置される。
そして、再び（ａ）の上位置でマイクロスイッチ８の接点が再度接触することにより、モータ３は停止し、動作表示用ランプ２０は消灯し、１ショットにおける破壊動作を完了し、再び動作待機状態となる。
【００３５】
図６は破壊操作を終え、取出した電話機２６と、トレイ１６内に溜められた破壊片２６ａを示し、電話機２６ではその上下を貫通する破孔２６ｂを観察でき、また破壊片２６及び破砕片は電話機２６の上下ケースとその内部に層を成して実装された電子部品ごとにバラバラの状態でトレイ１６内に収装され、これらにより、ユーザは使用済電話の完全破壊を確認できるものとなる。
【００３６】
なお、前記実施形態において特に図４に示すように、ポンチ７の先端形状は三角錐型としているが、円柱の先端を超高合金製の平頭型とし、そのナイフエッジで押切るようにもできる。
【００３７】
（第２の実施形態）
図７，８は本発明を電話機の破壊装置に適用した第２実施形態を示す。なお本実施形態において、前記第１実施形態と同じまたは同等箇所には同一符号を付してその説明を省略し、異なる部材あるいは新たに付加された部材のみ符号を変えて説明する。
【００３８】
図において、この破壊装置３０は、マウントベース２の先端側上面に固定される電話機設置プレート３１が内奥部側を幅広とした平面視凸状をなし、かつその中央にはフライス加工などにより凹溝３１ａが切られ、この溝３１ａの内奥部をポンチ７直下に形成された破壊片排出孔３１ｂに連続させ、また先端側をプレート３１の先端に連続させている。  さらに破壊片排出孔３１ｂは、前記溝３１ａ底部におけるポンチ７の直下に加え、先端側にも貫通形成され、マウントベースに開口された図示しない破壊片排出孔を介して、トレイ１６に連通させている。
【００３９】
以上の構成により、層ごとにバラバラになった破壊片がポンチ７の位置でトレイ１６内に落下しなくても、前部側の破壊片排出孔３１ｂからでも落下できるようにし、さらには落下しないでプレート３１上に残置された破壊片が溝３１ａ内に残ることによって、装置３０の内部の各部に拡散されてしまうことを防止し、溝３１ａを通じて装置３０の前部側に取出すようことが可能となっている。
【００４０】
また、前記駆動板６を昇降可能にガイドする左右一対のガイドピン３２は、駆動板６の左右上下に設けたガイド用グロメット３３を介して駆動板６を上下に貫通し、その上端をモータマウント４の先端左右に固定され、下端を前記設置プレート３１の左右に固定されている。
【００４１】
以上の構成により、ガイドピン３２の剛性が高く、駆動板６の昇降動作に伴う水平分力の影響を効果的に減少させることができる。
【００４２】
さらに、ケーシングカバー１４の前部開口の先端には設置プレート３１の先端部両側に接し、かつ上部を電話機の肉厚分の高さをあけてコ字形の導入板３４が一体に配置されている。
【００４３】
そして、この導入板３４の上面とこれに連続するカバー１４の前面にはＬ字形をなして観察窓３５が切欠き形成され、この観察窓３５は透明樹脂板３６によって覆われ、内部を観察窓３５を通じて覗けるようにしている。
【００４４】
以上の構成を付加することにより、導入板により電話機挿通時の挿通ガイドがなされ、正確にポンチ７の直下に電話機を位置させることができる。また、その破壊状況を観察窓３５を通じて覗き見ることができる。
【００４５】
以上の各実施形態では、電話機の挿入時に、その先端が内奥部に度当りすることで、挿入状態を確認できるようにしたが、度当り位置にマイクロスイッチを設けこれのオンにより点灯する表示ランプを設けることにより、さらに挿入状態を確実に確認できる。
【００４６】
また、各実施形態では、電話機の一箇所に孔をあけるようにしたが、カム５、動作板６及びそのガイド機構をモータ３の出力軸３ａの同軸方向に複数タンデム式に連結すれば、同時複数箇所に孔をあけることもできる。
【００４７】
また各実施形態では、カムにより電動モータの回転を往復運動に変換したが、クランクとクランクピン、ラックとピニオンなどの他の回転−往復直線運動の変換手段も採用することができる。
【００４８】
さらに電動モータのみならず、他の駆動手段、例えば油圧シリンダーや空気圧シリンダーなども採用可能であり、加えて梃子やその他の倍力機構の原理を応用して手動レバーによりポンチを上下動させたり、足踏ペダルによりポンチを上下させることもできる。
【００４９】
但し、いずれにしろ破壊装置は店内のカウンターなどに設置され、店員またはユーザ自身によって気軽に操作が行われることを目的とする装置であるため、以上述べた機構のうち、目的とする装置規模に適した機構を採用すればよい。
【産業上の利用可能性】
【００５０】
不要となった携帯電話、ＰＨＳ、ポケベルなどの携帯式通信機器類の物理的破壊のほか、及び不要となった電子手帳、小型ノートパソコンなどの携帯式電子機器類など個人情報が蓄積された携帯式電子機器類の物理的破壊一般に適用可能である。また、本発明の装置は、更にキャッシュカード，ＩＣカード，ＩＣタグなどの情報記録媒体の破棄に供することも可能である。
【図面の簡単な説明】
【００５１】
【図１】本発明の第１実施形態による破壊装置の側面図、正面図及び平面図である。
【図２】同装置の分解斜視図である。
【図３】同装置の組立状態を示す斜視図である。
【図４】（ａ）〜（ｄ）は同装置の１ショット動作を示す作用説明図である。
【図５】同装置の操作状態を示す説明図である。
【図６】同装置によって打抜かれた携帯電話とトレイ内の打抜き破壊片を示す説明図である。
【図７】本発明の第２実施形態による破壊装置の分解斜視図である。
【図８】同組立状態を示す斜視図である。
【符号の説明】
【００５２】
１，３０…破壊装置
２…マウントベース
３…モータ
４…モータマウント
５…カム
６…動作板
６ａ…カム溝
７…ポンチ
９…共上がり防止プレート
９ａ…ポンチ挿通孔
１０，３１…電話機設置プレート
１０ａ，３１ｂ…破壊片排出孔
１４…ハウジングカバー
１４ａ…開口
１６…トレイ
１７…マグネットキャッチ
１８，１９，３２…ガイド機構（１８…ガイドスリーブ、１９，３２…ガイドピン）
２１…モータ駆動用スイッチ
２６…携帯電話機（携帯機器）
２６ａ…破壊片
２６ｂ…貫通孔
【図１】
2005349519.tif 000003
【図２】
2005349519.tif 000004
【図３】
2005349519.tif 000005
【図４】
2005349519.tif 000006
【図５】
2005349519.tif 000007
【図６】
2005349519.tif 000008
【図７】
2005349519.tif 000009
【図８】
2005349519.tif 000010